(57)【要約】【課題】幕体で仕切られたハウス内部の上部空間と下部空間との間で換気が効率よく行え、農産物や園芸生産物等の栽培物を栽培するのに適した環境に調整することができるハウス換気装置の提供を目的とする。【解決手段】手動式の巻取り機構１２の操作シャフト１４により巻取り軸１１を巻取り方向へ正回転して、巻取り軸１１に幕体１０を巻き取りながら上昇させ、換気口８の一部を開口するか、換気口８の全体を開口する。左側幕体２及び右側幕体３の下方に溜まった雰囲気は、左側幕体２と右側幕体３との間に形成された換気口８からハウスＡ内部の上部空間へ排気される。操作シャフト１４により巻取り軸１１を巻戻し方向へ逆回転して、巻取り軸１１に巻き取られた幕体１０を下方に向けて展開しながら下降させ、換気口８の一部を閉塞するか、換気口８の全体を閉塞する。【選択図】図１
0003142989.tif 000002
【実用新案登録請求の範囲】
【請求項１】
ハウス内部に架設された左右一対の幕体を、該一方の幕体より他方の幕体の方が高位となるように上下段違いに架設し、
前記一方の幕体と他方の幕体との対向縁部間に設けられた換気口に、該換気口全体が閉塞される大きさ及び形状に形成した幕体を上下開閉自在に設けた
ハウス換気装置。
【請求項２】
前記幕体の上縁部を、前記換気口の上縁部より上方に架設された上位側の棟パイプに固定し、
前記幕体の下縁部を、前記換気口と平行して架設された巻取り軸に固定し、
前記巻取り軸の一端に、前記幕体が巻き取られる方向と、該幕体が展開される方向とに前記巻取り軸を正逆回転するための巻取り手段を設けた
請求項１に記載のハウス換気装置。
【請求項３】
前記左右一対の幕体を、前記ハウス内部の天井部を構成する中央棟部から左右軒部に向けて徐々に低くなる角度に斜設した
請求項１又は２に記載のハウス換気装置。
【請求項４】
前記ハウス内部に架設された一方の幕体及び他方の幕体の下部に、該各幕体の開閉方向と平行して複数本の棚線を所定間隔に隔てて架設した
請求項１〜３のいずれか一つに記載のハウス換気装置。
【請求項５】
前記一方の幕体の換気口側縁部が固定された下位側の棟パイプと、前記他方の幕体の換気口側縁部が固定された上位側の棟パイプとを、前記ハウス内部の天井部に架設された棟部に対して揺動自在に吊設した
請求項１〜４のいずれか一つに記載のハウス換気装置。
【請求項６】
前記一方の幕体を、互いに対向する方向に向けて開閉される上側幕体と下側幕体とに分割し、
前記他方の幕体を、互いに対向する方向に向けて開閉される上側幕体と下側幕体とに分割し、
前記一方又は他方の幕体上方に軸架された巻取り軸に、前記一方の幕体の上下幕体と前記他方の幕体の上下幕体とを連動して開閉操作するための牽引線の両端部を逆向きに巻回し、
前記牽引線の一端側と他端側との間を、前記ハウスの左側軒部及び右側軒部に取り付けられた一対の滑車と、前記棟部下方に吊設された上下の棟パイプとに掛けるとともに、
前記牽引線の一方を、前記一方の幕体の下側幕体と前記他方の幕体の下側幕体との開閉側縁部に連結し、
前記牽引線の他方を、前記一方の幕体の上側幕体と前記他方の幕体の上側幕体との開閉側縁部に連結し、
前記巻取り軸の一端に、前記一対の幕体が展開される閉方向と、該各幕体が集束される開方向とに前記巻取り軸を正逆回転するための開閉手段を設けた
請求項１〜５のいずれか一つに記載のハウス換気装置。
【請求項７】
前記一方の幕体を構成する上側幕体及び下側幕体の対向縁部と、前記他方の幕体を構成する上側幕体及び下側幕体の対向縁部とを、前記棚線上に載置された誘導パイプに固定して前記各幕体の開閉方向に向けて移動自在に設けた
請求項１〜６のいずれか一つに記載のハウス換気装置。
【考案の詳細な説明】
【技術分野】
【０００１】
この考案は、例えばカーテン、シート等の幕体で仕切られたハウス内部の上部空間と下部空間との間で換気を効率よく行う際に用いられるハウス換気装置に関する。
【背景技術】
【０００２】
従来、前記ハウス内部の換気を行う装置としては、例えば特許文献１の小屋根連棟型温室がある。この小屋根連棟型温室は、各小屋根が、傾斜部と、垂直部とからなり、全体としてノコギリ形状を呈する様に構成されている。そして、各小屋根の垂直部には、電動巻き上げ式の開口部が設けられている。また、各棟は、トラスによって受けられている。つまり、小屋根の傾斜部を流れる気流により、垂直部は大きな負圧の状態となり、開口部を開くことにより、温室内の気圧とこの負圧との圧力差により、効率よく、温室内の空気を外部へと吸い出すことができ、大幅な換気効率の向上が見込まれる。
【特許文献１】実用新案登録第３０７９６１５号
【考案の開示】
【考案が解決しようとする課題】
【０００３】
しかし、前記小屋根連棟型温室は、屋外に設置された温室の内部と外部との間で換気するので、開口部が閉塞される大きさ及び形状に形成された幕体の上縁部を垂直部上端に固定し、幕体の下縁部に該幕体を巻き取るための巻取り軸を固定しているが、幕体の下縁部が風で煽られるか、捲れ上がる等して、小屋根の垂直部に設けられた開口部が大きく開口されてしまうので、所望する換気量を維持することができない。また、巻取り軸を垂直部上端に固定する場合、巻取り軸の両端部を受けるための軸受部材を垂直部の左右両端に固定しなければならず、巻取り軸の取付け構造が複雑となるだけでなく、巻取り軸の取付け作業に手間及び時間が掛かる。
【０００４】
この考案は前記問題に鑑み、幕体で仕切られたハウス内部の上部空間と下部空間との間で換気が効率よく行え、農産物や園芸生産物等の栽培物を栽培するのに適した環境に調整することができるハウス換気装置の提供を目的とする。
【課題を解決するための手段】
【０００５】
この考案は、ハウス内部に架設された左右一対の幕体を、該一方の幕体より他方の幕体の方が高位となるように上下段違いに架設し、前記一方の幕体と他方の幕体との対向縁部間に設けられた換気口に、該換気口全体が閉塞される大きさ及び形状に形成した幕体を上下開閉自在に設けたハウス換気装置であることを特徴とする。
【０００６】
この考案の態様として、前記幕体の上縁部を、前記換気口の上縁部より上方に架設された上位側の棟パイプに固定し、前記幕体の下縁部を、前記換気口と平行して架設された巻取り軸に固定し、前記巻取り軸の一端に、前記幕体が巻き取られる方向と、該幕体が展開される方向とに前記巻取り軸を正逆回転するための巻取り手段を設けることができる。
【０００７】
また、この考案の態様として、前記左右一対の幕体を、前記ハウス内部の天井部を構成する中央棟部から左右軒部に向けて徐々に低くなる角度に斜設することができる。
【０００８】
また、この考案の態様として、前記ハウス内部に架設された一方の幕体及び他方の幕体の下部に、該各幕体の開閉方向と平行して複数本の棚線を所定間隔に隔てて架設することができる。
【０００９】
また、この考案の態様として、前記一方の幕体の換気口側縁部が固定された下位側の棟パイプと、前記他方の幕体の換気口側縁部が固定された上位側の棟パイプとを、前記ハウス内部の天井部に架設された棟部に対して揺動自在に吊設することができる。
【００１０】
また、この考案の態様として、前記一方の幕体を、互いに対向する方向に向けて開閉される上側幕体と下側幕体とに分割し、前記他方の幕体を、互いに対向する方向に向けて開閉される上側幕体と下側幕体とに分割し、前記一方又は他方の幕体上方に軸架された巻取り軸に、前記一方の幕体の上下幕体と前記他方の幕体の上下幕体とを連動して開閉操作するための牽引線の両端部を逆向きに巻回し、前記牽引線の一端側と他端側との間を、前記ハウスの左側軒部及び右側軒部に取り付けられた一対の滑車と、前記棟部下方に吊設された上下の棟パイプとに掛けるとともに、前記牽引線の一方を、前記一方の幕体の下側幕体と前記他方の幕体の下側幕体との開閉側縁部に連結し、前記牽引線の他方を、前記一方の幕体の上側幕体と前記他方の幕体の上側幕体との開閉側縁部に連結し、前記巻取り軸の一端に、前記一対の幕体が展開される閉方向と、該各幕体が集束される開方向とに前記巻取り軸を正逆回転するための開閉手段を設けることができる。
【００１１】
また、この考案の態様として、前記一方の幕体を構成する上側幕体及び下側幕体の対向縁部と、前記他方の幕体を構成する上側幕体及び下側幕体の対向縁部とを、前記棚線上に載置された誘導パイプに固定して前記各幕体の開閉方向に向けて移動自在に設けることができる。
【００１２】
前記幕体は、例えば遮光性或いは透光性を有する合成樹脂製のカーテンで構成することができる。また、巻取り手段は、例えばギャボックス＆操作シャフト、プーリ＆チェーン、モータ等で構成することができる。また、棚線及び牽引線は、例えばプラスチック製、金属製の線材で構成することができる。
【考案の効果】
【００１３】
この考案によれば、ハウス内部に架設された左側幕体と右側幕体とを、一方の幕体より他方の幕体の方が高位となるように架設して、該低位側の幕体と高位側の幕体との間に設けられた換気口に、該換気口全体が閉塞される大きさ及び形状に形成した幕体を上下開閉自在に設けているので、左側幕体及び右側幕体の下方に溜まった雰囲気が該左側幕体と右側幕体との間に形成された換気口からハウス内部の上部空間へ排気される。これにより、幕体で仕切られたハウス内部の上部空間と下部空間との間で換気が効率よく行え、農産物や園芸生産物等の栽培物を栽培するのに適した環境に調整することができる。
【考案を実施するための最良の形態】
【００１４】
この考案は、幕体で仕切られたハウス内部の上部空間と下部空間との間で換気が効率よく行え、農産物や園芸生産物等の栽培物を栽培するのに適した環境に調整することができるという目的を、ハウス内部に架設された左右一対の幕体を、該一方の幕体より他方の幕体の方が高位となるように架設し、前記低位側の幕体と高位側の幕体との間に設けられた換気口に、該換気口全体が閉塞される大きさ及び形状に形成した幕体を上下開閉自在に設けることで達成した。
【実施例】
【００１５】
この考案の一実施例を以下図面に基づいて詳述する。
【００１６】
図面は、左右一対の左側幕体と右側幕体とで仕切られたハウス内部の上部空間と下部空間との間で換気を効率よく行う際に用いられるハウス換気装置を示している。
【００１７】
図１及び図２に於いて、このハウス換気装置１は、ハウスＡ内部の天井部Ａａに架設された左右一対の左側幕体２と右側幕体３とを、該天井部Ａａを構成する中央棟部Ａ１から左右軒部Ａ２，Ａ３に向けて徐々に低くなる角度に斜設するとともに、左側幕体２の棟部Ａ１側縁部より右側幕体３の棟部Ａ１側縁部の方が所定高さだけ高位となるように上下互い違いに架設して、左側幕体２と右側幕体３とを連動して左右開閉自在に設けている。また、左側幕体２の棟部Ａ１側縁部と右側幕体３の棟部Ａ１側縁部との対向縁部間に形成された換気口８に、該換気口８全体が閉塞される大きさ及び形状に形成した巻取り式の幕体１０を上下開閉自在に設けて構成している。
【００１８】
左側幕体２は、正面から見て左側天井部Ａａの上側半面が覆われる上側幕体２ａと、該左側天井部Ａａの下側半面が覆われる下側幕体２ｂとに分割されている。上側幕体２ａの閉塞側上縁部は、ハウスＡの長さ方向と平行して天井部Ａａの棟部Ａ１に架設された下位側の棟パイプ４ａに固定している。下側幕体２ｂの閉塞側下縁部は、ハウスＡの長さ方向と平行して天井部Ａａの左側軒部Ａ２に架設された軒パイプ５ａに固定している。棟パイプ４ａと軒パイプ５ａとの間には、左側幕体２の開閉方向と平行して複数本の棚線６ａ…を所定間隔に隔てて架設している。
【００１９】
上側幕体２ａと下側幕体２ｂとの開閉側対向縁部は、ハウスＡの長さ方向と平行して左側天井部Ａａに架設された２本の誘導パイプ７ａ，７ａに対してクリップ等の固定具で固定している。上下幕体２ａ，２ｂ及び誘導パイプ７ａ，７ａは、左側天井部Ａａに架設された棚線６ａ…上に載置されているので、左側幕体２の上側幕体２ａ及び下側幕体２ｂを、棚線６ａ…に沿って開閉方向に向けて誘導することができる（図２参照）。
【００２０】
右側幕体３は、前記左側幕体２と略同一の構成を有しており、正面から見て右側天井部Ａａの上側半面が覆われる上側幕体３ａと、該右側天井部Ａａの下側半面が覆われる下側幕体３ｂとに分割されている。上側幕体３ａの閉塞側上縁部は、ハウスＡの長さ方向と平行して天井部Ａａの棟部Ａ１に架設された上位側の棟パイプ４ｂに固定している。下側幕体３ｂの閉塞側下縁部は、ハウスＡの長さ方向と平行して天井部Ａａの右側軒部Ａ３に架設された軒パイプ５ｂに固定している。棟パイプ４ｂと軒パイプ５ｂとの間には、右側幕体３の開閉方向と平行して複数本の棚線６ｂ…を所定間隔に隔てて架設している。
【００２１】
上側幕体３ａと下側幕体３ｂとの開閉側対向縁部は、ハウスＡの長さ方向と平行して右側天井部Ａａに架設された２本の誘導パイプ７ｂ，７ｂに固定している。上下幕体３ａ，３ｂ及び誘導パイプ７ｂ，７ｂは、右側幕体３と平行して右側天井部Ａａに架設された棚線６ｂ…上に載置されているので、右側幕体３の上側幕体３ａ及び下側幕体３ｂを、棚線６ｂ…に沿って開閉方向に向けて誘導することができる。なお、右側幕体３は、左側幕体２の傾斜角度より鋭角となる角度に傾斜している。
【００２２】
実施例では、棚線６ａ，６ｂの一例としてポリエステル製のエスター線を用いているが、その他のプラスチック製或いは金属製の線材を用いてもよい。また、柔軟性を有する左側幕体２及び右側幕体３は、遮光性或いは透光性を有する合成樹脂製のカーテンで構成しているが、その他の材質で形成された被覆資材を用いてもよい。
【００２３】
天井部Ａａの棟部Ａ１下方に架設された棟パイプ４ａと棟パイプ４ｂとの間には、所定長さに形成された支持杆４ｃを棟パイプ４ａ及び棟パイプ４ｂの長さ方向に対して所定間隔に隔てて複数本架設している。これにより、下位側の棟パイプ４ａに固定された上側幕体２ａの閉塞側上縁部と、上位側の棟パイプ４ｂに固定された上側幕体３ａの閉塞側上縁部との間を所定間隔に隔てられた状態に支持している。つまり、左側幕体２の棟部Ａ１側縁部と対応する上側幕体２ａの閉塞側上縁部より、右側幕体３の棟部Ａ１側縁部と対応する上側幕体３ａの閉塞側上縁部の方が所定高さだけ高位となるように架設して、左側幕体２の棟部Ａ１側縁部と右側幕体３の棟部Ａ１側縁部との間に換気口８を設けている。
【００２４】
支持杆４ｃで連結された棟パイプ４ａ，４ｂは、吊りワイヤー等の吊り具９を介して、ハウスＡ内部の天井部Ａａに対して揺動自在に吊設している。
【００２５】
換気口８の前面には、該換気口８全体が閉塞される大きさ及び形状に形成した巻取り式の幕体１０を上下開閉自在に吊設している。幕体１０の上縁部は、換気口８の上縁部より上方で、天井部Ａａの棟部Ａ１に沿って架設された上位側の棟パイプ４ｂに対してパッカー等の固定具で固定している。幕体１０の下縁部は、換気口８及び棟パイプ４ａ，４ｂと平行して架設された巻取り軸１１の周面に固定している。
【００２６】
巻取り軸１１の一端に設けられた手動式の巻取り機構１２は、巻取り軸１１の一端に固定されたギャボックス１３と、該ギャボックス１３に連結された操作シャフト１４とで構成される。つまり、操作シャフト１４を幕体１０が巻き取られる方向へ回転操作すれば、巻取り軸１１が巻取り方向へ正回転し、巻取り軸１１に幕体１０が下端側から徐々に巻き取られる。幕体１０の上縁部を棟パイプ４ｂに固定しているので、巻取り軸１１に巻き取られる幕体１０の巻取り量に対応して該幕体１０全体が上方に向けて徐々に上昇され、換気口８を開口することができる（図４参照）。
【００２７】
操作シャフト１４を幕体１０が展開される方向へ回転操作すれば、巻取り軸１１が巻戻し方向へ逆回転し、巻取り軸１１に巻き取られた幕体１０が下方に向けて徐々に展開される。その巻戻し量に対応して幕体１０全体が下方に向けて徐々に下降されるので、換気口８を閉塞することができる（図３参照）。なお、ギャボックス１３及び操作シャフト１４の代わりに、例えばモータを巻取り軸１１の一端に直結するか、モータを巻取り軸１１に内蔵する等して、巻取り軸１１を正逆回転してもよい。
【００２８】
また、幕体１０及び巻取り軸１１の自重により、換気口８の一部又は全体が幕体１０で閉塞された状態を維持するとともに、その幕体１０を、ハウスＡ内部に架設された左側幕体２と右側幕体３との間に形成された換気口８前面に吊設しているので、幕体１０が揺動するか、風で煽られる心配がない。
【００２９】
左側軒部Ａ２に取付けられた滑車１５ａと、右側軒部Ａ３に取付けられた滑車１５ｂとの間には、エスター線等の牽引線１６を掛け渡している。牽引線１６の両端は、ハウスＡの長さ方向と平行して左側幕体２の上方に軸架された巻取り軸１７の周面に固定している。なお、牽引線１６の一端側を、巻取り軸１７の周面に対して時計回り方向（又は左巻き）に巻回した場合、牽引線１６の他端側は、巻取り軸１７の周面に対して反時計回り方向（又は右巻き）に巻回している。
【００３０】
牽引線１６の一端側と他端側との間は、左側軒部Ａ２に取付けられた滑車１５ａと、右側軒部Ａ３に取付けられた滑車１５ｂと、棟部Ａ１下方の棟パイプ４ａ，４ｂに取付けられたローラー型の滑車４ｄとに掛けている。
【００３１】
左側軒部Ａ２の滑車１５ａに掛けられた上側の牽引線１６は、左側幕体２の下側幕体２ｂに固定された誘導パイプ７ａに連結し、該滑車１５ａに掛けられた下側の牽引線１６は、左側幕体２の上側幕体２ａに固定された誘導パイプ７ａに連結している。
【００３２】
右側軒部Ａ３の滑車１５ｂに掛けられた上側の牽引線１６は、右側幕体３の下側幕体３ｂに固定された誘導パイプ７ｂに連結し、該滑車１５ｂに掛けられた下側の牽引線１６は、右側幕体３の上側幕体３ａに固定された誘導パイプ７ｂに連結している。
【００３３】
巻取り軸１７の一端に設けられた手動式の開閉機構１８は、巻取り軸１７の一端に固定されたプーリ１９と、該プーリ１９に掛けられたループ状のチェーン２０とで構成される。つまり、チェーン２０の引下げ操作により、巻取り軸１７を左側幕体２及び右側幕体３が展開される閉方向へ回転すると、牽引線１６の一端側が巻取り軸１７に巻き取られ、牽引線１６の他端側が巻取り軸１７から引き出される。これにより、牽引線１６の一端側に固定された左側幕体２の下側幕体２ｂと右側幕体３の下側幕体３ｂとが閉方向に向けて徐々に引き上げられ、左側幕体２の上側幕体２ａと右側幕体３の上側幕体３ａとが閉方向に向けて徐々に引き下げられる。
【００３４】
巻取り軸１７を左右幕体が集束される開方向へ回転すると、牽引線１６の一端側が巻取り軸１７から引き出され、牽引線１６の他端側が巻取り軸１７に巻き取られる。これにより、牽引線１６の一端側に固定された左側幕体２の下側幕体２ｂと右側幕体３の下側幕体３ｂとが開方向に向けて徐々に引き下げられ、左側幕体２の上側幕体２ａと右側幕体３の上側幕体３ａとが開方向に向けて徐々に引き上げられる。なお、プーリ１９及びチェーン２０の代わりに、例えばモータ等の駆動手段により巻取り軸１７を正逆回転してもよい。
【００３５】
図示実施例は前記の如く構成するものにして、以下、ハウス換気装置１による換気方法を説明する。
【００３６】
先ず、左右一対の左側幕体２と右側幕体３とで仕切られたハウスＡ内部の上部空間と下部空間との間で換気する場合、図１及び図２に示す手動式の巻取り機構１２の操作シャフト１４を幕体１０が巻き取られる方向へ回転操作して、巻取り軸１１を巻取り方向へ正回転させ、巻取り軸１１の周面に幕体１０を下端側から徐々に巻き取る。
【００３７】
幕体１０の上縁部は棟パイプ４ｂに固定されているので、幕体１０の巻取り量に対応して該幕体１０全体が上方に向けて徐々に引き上げられ、換気口８の一部を開口して所望する換気量に調整するか、換気口８の全体を開口して、換気口８の全体で換気することができる（図４参照）。
【００３８】
左側幕体２の下方に溜まった雰囲気は、該左側幕体２の下面に沿って右側幕体３の下方へ流動する。右側幕体３の下方に溜まった雰囲気は、該右側幕体３の鋭角な下面に沿って低い方から高い方へ流動し、左側幕体２の棟部Ａ１側縁部と右側幕体３の棟部Ａ１側縁部との間に形成された換気口８からハウスＡ内部の上部空間へ排気される。これにより、右側幕体３の下方から左側幕体２の下方へ雰囲気が逆流することがなく、ハウスＡ内部の上部空間と下部空間との間で換気が効率よく行えるとともに、栽培物の一例である農産物や園芸生産物を栽培するのに適した環境（温度、湿度）に調整することができる。
【００３９】
一方、ハウスＡ内部の上部空間と下部空間との換気を遮断する場合、操作シャフト１４を幕体１０が展開される方向へ回転操作して、巻取り軸１１を巻戻し方向へ逆回転させ、巻取り軸１１に巻き取られた幕体１０を下方に向けて徐々に展開する。その巻戻し量に対応して幕体１０全体が下方に向けて徐々に引き下げられるので、換気口８の一部を閉塞して所望する換気量に調整するか、換気口８の全体を閉塞して、換気を遮断することができる（図３参照）。
【００４０】
左側幕体２及び右側幕体３を閉じる場合、図１、図２に示すように、チェーン２０の一端側を引下げ操作して、巻取り軸１７を左右幕体が展開される閉方向へ回転すると、巻取り軸１７に牽引線１６の一端側が巻き取られ、巻取り軸１７に巻回された牽引線１６の他端側が引き出される。これにより、牽引線１６の一端側に固定された左側幕体２の下側幕体２ｂと右側幕体３の下側幕体３ｂとが閉方向に向けて徐々に引き上げられ、左側幕体２の上側幕体２ａと右側幕体３の上側幕体３ａとが閉方向に向けて徐々に引き下げられる。左側幕体２の上側幕体２ａと下側幕体２ｂとが上下に重ね合わされ、右側幕体３の上側幕体３ａと下側幕体３ｂとが上下に重ね合わされるので、左側幕体２及び右側幕体３を閉じることができる。
【００４１】
また、左側幕体２及び右側幕体３を開ける場合、チェーン２０の他端側を引下げ操作して、巻取り軸１７を左右幕体が集束される開方向へ回転すると、巻取り軸１７に巻回された牽引線１６の一端側が引き出され、巻取り軸１７に牽引線１６の他端側が巻き取られる。これにより、牽引線１６の一端側に固定された左側幕体２の下側幕体２ｂと右側幕体３の下側幕体３ｂとが開方向に向けて徐々に引き下げられ、左側幕体２の上側幕体２ａと右側幕体３の上側幕体３ａとが開方向に向けて徐々に引き上げられる。左側幕体２の上側幕体２ａと下側幕体２ｂとが集束され、右側幕体３の上側幕体３ａと下側幕体３ｂとが集束されるので、左側幕体２及び右側幕体３を所望する大きさに開放することができる。
【００４２】
この考案の構成と、前記実施例との対応において、  
この考案の巻取り手段は、実施例の巻取り機構１２に対応し、  
以下同様に、  
開閉手段は、開閉機構１８に対応するも、  
この考案は、前記実施例の構成のみに限定されるものではなく、請求項に示される技術思想に基づいて応用することができ、多くの実施の形態を得ることができる。
【００４３】
実施例では、ハウスＡ内部の天井部Ａａに左側幕体２と右側幕体３とを互い違いに架設した例を説明したが、例えば温室、等の建物内部に左側幕体２と右側幕体３とを互い違いに架設してもよい。
【図面の簡単な説明】
【００４４】
【図１】ハウス内部に備えられたハウス換気装置を示す斜視図。
【図２】換気口を左側から目視した状態を示す斜視図。
【図３】換気口の閉状態を示す斜視図。
【図４】換気口の開状態を示す斜視図。
【符号の説明】
【００４５】
Ａ…ハウス
Ａａ…天井部
Ａ１…棟部
Ａ２，Ａ３…軒部
１…ハウス換気装置
２…左側幕体
３…右側幕体
４ａ，４ｂ…棟パイプ
４ｃ…支持杆
５ａ，５ｂ…軒パイプ
６ａ，６ｂ…棚線
７ａ，７ｂ…誘導パイプ
８…換気口
９…吊り具
１０…幕体
１１…巻取り軸
１２…巻取り機構
１５ａ，１５ｂ…滑車
１６…牽引線
１７…巻取り軸
１８…開閉機構
【図１】
0003142989.tif 000003
【図２】
0003142989.tif 000004
【図３】
0003142989.tif 000005
【図４】
0003142989.tif 000006